(57)【特許請求の範囲】
【請求項１】
マンホール内に装着される収納式のタラップであって、マンホールの地上開口部付近のコンクリート内壁に取り付けられるタラップ枠ユニットと、このタラップ枠ユニットとは反対側のコンクリート内壁に取り付けられ且つ突出先端部が円弧状の受け金具を備え、前記タラップ枠ユニットは、マンホールのコンクリート内壁に固定される左右一対の固定具と、この固定具に設けられる揺動軸と、この揺動軸まわりに揺動して起伏自在で且つパイプ状部材を折り曲げたコの字型の外枠を有するタラップ枠と、このタラップ枠の姿勢を垂直位置で固定するための垂直位置固定手段を備えるとともに、このタラップ枠を横に倒すと、その先端部が前記受け金具によって支持されるようにし、更に、前記垂直位置固定手段として、前記タラップ枠に設けられ且つ前記固定具の揺動軸を揺動可能に挿通せしめる長孔挿通孔と、タラップ枠の一端側端部に設けられる係合部と、前記固定具に設けられる係止部とから構成し、タラップ枠を縦向き姿勢にすると、前記長孔挿通孔を通してタラップ枠が上下方向に位置偏位可能となって前記係合部を係止部に係脱させることが可能となり、また係合部と係止部を係合させると、タラップ枠の姿勢が垂直位置で固定されるようにしたことを特徴とするマンホール用収納式タラップ。
【発明の詳細な説明】
【０００１】
【発明の属する技術分野】
本発明は、マンホールの出入りの容易化を図り、同時にマンホール内への転落防止にも寄与するマンホール用収納式タラップに関する。
【０００２】
【従来の技術】
従来、作業者がマンホールへ出入りする際の安全性を向上させ、また周囲の資材や人員が誤ってマンホール内に転落するのを防止する防護柵を兼ねたような装置として、例えば特開平１１−２２９４１６号のようなマンホール用墜落防止装置が知られており、この装置では、マンホールの内壁に沿って上下にスライド自在な可動柵を設け、マンホールへ出入りする際はこの可動柵を上方に引上げて所定の位置で固定し、出入りする時の手摺りや足掛かりとして活用するとともに、周囲の資材や人員がマンホール内に転落するのを防止するようにしている。
【０００３】
【発明が解決しようとする課題】
ところが、上記のような装置は、可動柵が大型でしかも重量があるため、可動柵を引上げて固定する作業を一人で行うのは大変で、しかも、可動柵の上下動をガイドするための案内部材や、可動柵を固定するための係止部材等をマンホール内に設置するには、大掛かりな設計変更等が必要で、既存のマンホールに適用するには向いていなかった。
また、マンホール蓋を開いた直後、可動柵を引上げる前の段階では、開口部が開いたままで、その周囲も保護されていないため、転落防止等を図ることが出来ないという問題もあった。
【０００４】
そこで本発明は、既存のマンホール等にも後付けで装着して転落防止や出入り作業の容易化を図ることができるようにするとともに、マンホール蓋を開いた直後でも転落防止等の安全が図られるようにすることを目的とする。
【０００５】
【課題を解決するための手段】
上記目的を達成するため本発明は、マンホール内に装着される収納式のタラップにおいて、マンホールの地上開口部付近のコンクリート内壁にタラップ枠ユニットを取付け、このタラップ枠ユニットとは反対側のコンクリート内壁に、突出先端部が円弧状の受け金具を取付けるとともに、タラップ枠ユニットには、マンホールのコンクリート内壁に固定される左右一対の固定具と、この固定具に設けられる揺動軸と、この揺動軸まわりに揺動して起伏自在で且つパイプ状部材を折り曲げたコの字型の外枠を有するタラップ枠と、このタラップ枠の姿勢を垂直位置で固定するための垂直位置固定手段を設け、また、このタラップ枠を横に倒すと、その先端部が受け金具によって支持されるようにした。
【０００６】
そして、平素はタラップ枠を横に倒して略水平姿勢にし、その上にマンホール蓋をして内部に収納するとともに、マンホールに入って作業するときは、マンホール蓋を外してタラップ枠を揺動させ、略垂直姿勢にして固定することで、マンホール内に出入りする時の手摺りや足掛かりとして活用し、同時に、周囲の人に同部にマンホールがあることを注意喚起する。
この際、マンホール蓋を取り除いた直後では、マンホールの開口部に略水平姿勢のタラップ枠が存在するため、人員や枠体の隙間より大きい資材等が転落する恐れがなく、また、構造が簡単で既存のマンホールにも容易に取り付けることができ、しかもタラップ枠の揺動は片手で簡単に行うことが出来るので簡便である。
【０００７】
ここで、タラップ枠の垂直位置固定手段としては、例えば別体のピン等を差込んで固定するような機構にしても良いが、本発明では以下に述べるようにタラップ枠を上下に位置偏位させてワンタッチ式で固定できるような機構にしている。
【０００８】
すなわち、本発明では、垂直位置固定手段として、タラップ枠に設けられ且つ固定具の揺動軸を揺動可能に挿通せしめる長孔挿通孔と、タラップ枠の一端側端部に設けられる係合部と、固定具に設けられる係止部から構成するようにし、タラップ枠を縦向き姿勢にすると、長孔挿通孔を通してタラップ枠が上下方向に位置偏位可能となって係合部を係止部に係脱させることが可能となり、また係合部と係止部を係合させると、タラップ枠の姿勢が垂直位置で固定されるようにした。
【０００９】
そして、タラップ枠を起こす際は、タラップ枠を揺動させて略垂直姿勢にし、タラップ枠を下方に移動させることにより、タラップ枠の係合部を固定具の係止部に係合させるようにし、タラップ枠を倒す際は、タラップ枠を引上げて係合部と係止部の係合を外した後、タラップ枠を揺動させて倒す。このような操作によりワンタッチで固定または解除が可能となり、操作容易である。
ここで、タラップ枠の係合部と、固定具の係止部としては、例えば一方側をピンとし、他方側を嵌合孔として、ピンを嵌合孔に嵌合させることにより係合させ、ピンを嵌合孔から外すことにより係合を外すような機構が適用可能である。
【００１０】
また、本発明のように、受け金具の突出先端部を円弧状にすれば、例えば人がマンホール内に出入りする際に、体や衣服等が受け金具に触っても傷付いたり、破れたりすることがなく安全である。
【００１１】
【発明の実施の形態】
本発明の実施の形態について添付した図面に基づき説明する。
ここで、図１は本発明に係るマンホール用収納式タラップの側面図、図２はタラップ枠を倒した状態の平面図、図３はタラップ枠を起こした状態の正面図、図４は垂直位置固定手段の作用図、図５は人が出入りする時の説明図である。
【００１２】
本発明に係るマンホール用収納式タラップは、既存のマンホールにも後付けで装着することにより、転落防止や出入り作業の容易化を図ることができるようにされ、また、マンホール蓋を開いた直後でも転落防止等が図れるようにされている。
【００１３】
すなわち、このマンホール用収納式タラップは、図１乃至図３に示すように、マンホールＨの地上開口部付近の内壁に取り付けられるタラップ枠ユニット１と、このタラップ枠ユニット１とは反対側の内壁に取り付けられる一対の受け金具２を備えており、タラップ枠ユニット１は、マンホール内壁に固定される左右一対の固定具３と、この固定具３の揺動軸４まわりに揺動して起伏自在なタラップ枠５と、このタラップ枠５を垂直姿勢で固定し得る垂直位置固定手段６を備えている。
【００１４】
前記固定具３は、上下一対のアンカー部材７によりマンホールＨ内壁の既存のステップ１１取付け側に固定され、平面視及び正面視で略コの字状の形態にされるとともに、コの字を貫いて水平方向に前記揺動軸４が取付けられている。
また、この揺動軸４の下方のコの字内には、タラップ止め８や、後述する垂直位置固定手段６の一構成部品である係止部としての係止板９が設けられており、この係止板９には、ピン嵌合孔９ｈが設けられている。
【００１５】
前記タラップ枠５は、例えばパイプ状部材をコの字型に折り曲げた外枠５ａと、この外枠５ａ内の中間部に平行に配設される縦材５ｂと、横方向に配設される複数の横棧５ｃを備えており、前記外枠５ａのコの字のサイズは、マンホールＨの内径よりやや小型にされるとともに、外枠５ａのコの字の基端部には、垂直位置固定手段６の一構成要素である長孔挿通孔ｓが設けられ、外枠５ａの基端部は固定具３のコの字内に収容されるとともに、前記揺動軸４が長孔挿通孔ｓを挿通した状態で固定具３と一体化されている。
また、外枠５ａのコの字の基端側には、垂直位置固定手段６の一構成部品である係合部としての係合ピン１０が後方に向けて突設されている。
【００１６】
そして、タラップ枠５は揺動軸４まわりに揺動可能とされ、タラップ枠５を縦向き姿勢にすると、長孔挿通孔ｓによってタラップ枠５が上下方向に位置偏位し得るようにされている。
また、タラップ枠５を横に倒すと、タラップ枠５の先端部が前記受け金具２に当接して、略水平姿勢で保持されるようにしている。
【００１７】
前記垂直位置固定手段６は、図４に示すように、前記固定具３の係止板９と、タラップ枠５の長孔挿通孔ｓと、タラップ枠５基端部の係合ピン１０から構成されており、この係合ピン１０は、係止板９のピン嵌合孔９ｈに嵌合可能にされている。
そして、図４（ａ）に示すような水平姿勢のタラップ枠５を揺動軸４まわりに揺動させ、図４（ｂ）に示すように、タラップ枠５を縦向き姿勢にすると、長孔挿通孔ｓの長手方向が縦向きになり、タラップ枠５は上下方向に位置偏位可能となる。そして、タラップ枠５を下方に下げると、図４（ｃ）に示すように、係合ピン１０が係止板９のピン嵌合孔９ｈに嵌合して、タラップ枠５の姿勢が垂直状態で固定されるようにしている。
【００１８】
尚、マンホールＨの上端開口部の周囲には、不図示のマンホール蓋の周縁下面に形成される突起に嵌合する溝ｍ（図１）が設けられている。
【００１９】
前記受け金具２は、図１に示すように、前記固定具３とは反対側のマンホール内壁にアンカー部材７により固定されており、水平姿勢のタラップ枠５の先端部を支持することが出来るようにされるとともに、内側に向けて張出す突出先端部が図２に示すように円弧状にされている。
【００２０】
以上のようなマンホール用収納式タラップの作用等について説明する。
平素は、タラップ枠５を倒した状態にし、その上に不図示のマンホール蓋を被せた状態にしておくが、マンホールＨに入る際は、まずマンホール蓋を取り除く。
すると、マンホールＨの開口部には、図２に示すような水平姿勢のタラップ枠５が存在しているため、マンホール内に人員が転落する恐れはなく、しかもタラップ枠５の枠体隙間より大きい資材等が落下する恐れもない。
【００２１】
次に、マンホール内に入るためタラップ枠５を起こした状態にする。すなわち、例えばタラップ枠５の先端部付近を持ち上げて揺動軸４まわりに揺動させることにより、略垂直姿勢にすると、長孔挿通孔ｓにより自重でタラップ枠５は下方に位置偏位し、係合ピン１０が係止板９のピン嵌合孔９ｈに嵌合してタラップ枠５の姿勢が垂直状態で固定される。
【００２２】
そして、このようにタラップ枠５を起こした状態にすると、図５に示すように、人が出入りする際の手擦りや足掛かりにすることができ、出入りを容易に且つ安全に行えるようになる。
また、タラップ枠５が起きた状態であると、付近を通行する人などに対して工事中である等の注意喚起にもなる。
また、受け金具２の突出先端部が円弧状であるため、マンホールＨ内に人が出入りする際、受け金具２に人の体や衣服等が触っても、怪我をしたり、服が引っ掛かって破れたりすることがなく安全である。
【００２３】
作業等が終了してマンホールに蓋をする時は、タラップ枠５を上方に引上げて係合ピン１０を係止板９のピン嵌合孔９ｈから引抜き、タラップ枠５を水平姿勢まで倒すと、タラップ枠５はマンホールＨ内に収納され、その上にマンホール蓋を被せることが出来るようになる。
【００２４】
因みに、このようなタラップ枠ユニット１や受け金具２は、各アンカー部材７によりコンクリート枠等に簡単に固定できるため、既存のマンホールＨにも容易に取付けることが出来る。
また、タラップ枠５の起伏は片手で簡単に操作出来るため、安全でかつ便利である。
【００２５】
尚、本発明は以上のような実施形態に限定されるものではない。本発明の特許請求の範囲に記載した事項と実質的に同一の構成を有し、同一の作用効果を奏するものは本発明の技術的範囲に属する。
例えばマンホールＨの形状は円形に限られるものではなく、また、タラップ枠５の形状等も任意である。
更に、係合ピン１０と係止板９の関係を逆にすることも可能であり、係止板９側にピンを突設し、係合ピン１０側に嵌合孔を設けるようにしても良い。
【００２６】
【発明の効果】
以上のように本発明に係るマンホール用収納式タラップは、マンホールの地上開口部付近の内壁にタラップ枠ユニットを取付け、このタラップ枠ユニットとして、固定具の揺動軸まわりに揺動して起伏自在なタラップ枠と、このタラップ枠の姿勢を垂直位置で固定するための垂直位置固定手段を設けるとともに、タラップ枠ユニットとは反対側のマンホール内壁に受け金具を取付け、平素は受け金具によってタラップ枠を水平姿勢に保持できるようにしたため、マンホール蓋を取り除いた直後でも、マンホール内に人員や大きな資材等が転落する恐れがなく、また、タラップ枠を略垂直姿勢にして固定することで、マンホール内に出入りする時の手摺りや足掛かりとして活用することが出来るようになる。同時に、同部にマンホールがあることの注意喚起にもなる。
この際、タラップ枠の揺動は片手で簡単に行うことが出来るため簡便であり、構造が簡単で既存のマンホールにも容易に取り付けることができるため利用価値が高い。
【００２７】
また、垂直位置固定手段として、タラップ枠に長孔挿通孔を設け、タラップ枠を縦向き姿勢にすると、タラップ枠が上下方向に位置偏位可能となるようにするとともに、タラップ枠に設けた係合部を固定具の係止部に係脱させて固定または解除出来るようにすれば、ワンタッチで固定または解除が可能となり、操作容易である。
また、受け金具の突出先端部を円弧状にすることで、受け金具に体や衣服等が触っても安全である。
【図面の簡単な説明】
【図１】本発明に係るマンホール用収納式タラップの側面図
【図２】タラップ枠を倒した状態の平面図
【図３】タラップ枠を起こした状態の正面図
【図４】垂直位置固定手段の作用図
【図５】人が出入りする時の説明図
【符号の説明】
１…タラップ枠ユニット、２…受け金具、３…固定具、４…揺動軸、５…タラップ枠、６…垂直姿勢固定手段、９…係止板、９ｈ…ピン嵌合孔、１０…係合ピン、ｓ…長孔挿通孔。
【図１】
0003797271.tif 000002
【図２】
0003797271.tif 000003
【図３】
0003797271.tif 000004
【図４】
0003797271.tif 000005
【図５】
0003797271.tif 000006